(57)【要約】【課題】空気調和機において、送風ファンによって流動する空気が取付ブラケットの面に沿って流動するようにし、ケース内部を通過する空気への流路抵抗を最小限に抑える。【解決手段】ケースと、軸流ファンからなり、ケース内部に設置される送風ファンと、送風ファンを回転させる駆動モーターと、ケース内部に設置されて駆動モーターがケース内部に一定の高さに設置されるようにする取付ブラケットとを備えてなり、取付ブラケットは、その面が送風ファンの軸線と平行に形成された板からなる構成とした。【選択図】図２
2008196841.tif 000002
【特許請求の範囲】
【請求項１】
ケースと、軸流ファンからなり、前記ケースの内部に設置される送風ファンと、前記送風ファンを回転させる駆動モーターと、前記ケースの内部に設置され、前記駆動モーターが前記ケース内部に一定の高さに設置されるようにする取付ブラケットと、を備え、
前記取付ブラケットは、その面が前記送風ファンの軸線と平行に形成された板で構成されることを特徴とする、空気調和機。
【請求項２】
前記取付ブラケットは、上部が弧状に形成されたアーチ形状の板で構成されることを特徴とする、請求項１に記載の空気調和機。
【請求項３】
前記取付ブラケットは、上部が弧状に形成されて前記駆動モーターが固定され、下端が前記ケースの下面に固定されることを特徴とする、請求項２に記載の空気調和機。
【請求項４】
前記取付ブラケットの上部両側には内側に延在し、前記駆動モーターが固定されるモーター取付部が設けられていることを特徴とする、請求項３に記載の空気調和機。
【請求項５】
前記取付ブラケットの下端には、前記ケースの下面と平行に側方に延在されて前記ケースの下面に設置されるケース取付部が設けられていることを特徴とする、請求項３に記載の空気調和機。
【請求項６】
前記ケース取付部には下側に延突してから側方に折り曲げられて前記ケースの下面に係止される係止部が設けられ、前記ケースの下面には前記係止部が挿入されて結合する係合穴が設けられていることを特徴とする、請求項５に記載の空気調和機。
【請求項７】
前記取付ブラケットには、空気が通流するように貫通穴が穿設されていることを特徴とする、請求項１に記載の空気調和機。
【請求項８】
前記貫通穴の外周部には前記取付ブラケットの強度補強のための補強リブが一体に延設されることを特徴とする、請求項７に記載の空気調和機。
【請求項９】
ケースと、軸流ファンからなり、前記ケース内部に設置される送風ファンと、前記送風ファンを回転させる駆動モーターと、前記ケースの内部に設置され、前記駆動モーターが前記ケース内部に一定高さに設置されるようにする取付ブラケットと、を備え、
前記取付ブラケットは、その面が前記送風ファンの軸線と平行に形成されるアーチ形状の板で構成されることを特徴とする、空気調和機。
【発明の詳細な説明】
【技術分野】
【０００１】
本発明は、空気調和機に係り、より詳細には、駆動モーターをケース内に設置するための取付ブラケットを備えた空気調和機に関する。
【背景技術】
【０００２】
一般に、空気調和機は、冷凍サイクルの構成要素を内部に組み込み、該冷凍サイクルより発生した冷気や熱気を室内空間に供給することによって室内空間を冷房または暖房できる装置をいう。
【０００３】
かかる空気調和機には、室内空間に配置され、室内空気と熱交換する室内熱交換器を備える室内機と、室外空間に配置され、室外空気と熱交換する室外熱交換器を備える室外機などで構成される分離型空気調和機がある。
【０００４】
このような分離型空気調和機において室外機は、外観を形成するケース内に、上記の室外熱交換器と、冷媒を圧縮する圧縮器と、軸流ファンからなって回転しつつ室外空気がケースを通過して凝縮器と熱交換されるようにする送風ファンと、回転力を発生させて送風ファンを回転させる駆動モーターなどから構成される。
【０００５】
ケース内には駆動モーターの設置のための取付ブラケットが設置されているが、従来の空気調和機に適用された取付ブラケットは、韓国公開特許第１０−２００６−４１１０９号に開示されているように、その面が送風ファンの軸線と直角方向に配置されているため、送風ファンによって送風ファンの軸方向に流動する空気が取付ブラケットの面にぶつかってしまい、取付ブラケットが流路抵抗を増加させる要因となり、結果として送風ファンの送風効率が低下するという問題があった。
【０００６】
そこで、従来の空気調和機に適用された取付ブラケットには空気が通流できるように貫通穴が穿設されてきたが、流路抵抗を減らすために貫通穴の大きさを増加させると、流路抵抗は低減するが、取付ブラケットの強度が低下するから駆動モーターより発生した振動に弱くなり、よって、貫通穴の大きさを増加させて流路抵抗を低減するのには限界があった。
【特許文献１】韓国公開特許第１０−２００６−４１１０９号
【発明の開示】
【発明が解決しようとする課題】
【０００７】
本発明は上記の問題点を解決するためのもので、その目的は、取付ブラケットの強度を維持しながらも取付ブラケットに起因する流路抵抗はより低減させることができる空気調和機を提供することにある。
【課題を解決するための手段】
【０００８】
上記の目的を達成するための本発明に係る空気調和機は、ケースと、軸流ファンからなり、前記ケースの内部に設置される送風ファンと、前記送風ファンを回転させる駆動モーターと、前記ケースの内部に設置され、前記駆動モーターが前記ケース内部に一定の高さに設置されるようにする取付ブラケットと、を備え、前記取付ブラケットは、その面が前記送風ファンの軸線と平行に形成された板で構成されることを特徴とする。
【０００９】
また、前記取付ブラケットは、上部が弧状に形成されたアーチ形状の板で構成されることを特徴とする。
【００１０】
また、前記取付ブラケットは、上部が弧状に形成されて前記駆動モーターが固定され、下端が前記ケースの下面に固定されることを特徴とする。
【００１１】
また、前記取付ブラケットの上部両側には内側に延在し、前記駆動モーターが固定されるモーター取付部が設けられていることを特徴とする。
【００１２】
前記取付ブラケットの下端には、前記ケースの下面と平行に側方に延在されて前記ケースの下面に設置されるケース取付部が設けられていることを特徴とする。
【００１３】
また、前記ケース取付部には下側に延突してから側方に折り曲げられて前記ケースの下面に係止される係止部が設けられ、前記ケースの下面には前記係止部が挿入されて結合する係合穴が設けられていることを特徴とする。
【００１４】
前記取付ブラケットには、空気が通流するように貫通穴が穿設されていることを特徴とする。
【００１５】
前記貫通穴の外周部には前記取付ブラケットの強度補強のための補強リブが一体に延設されることを特徴とする。
【００１６】
また、本発明による空気調和機は、ケースと、軸流ファンからなり、前記ケース内部に設置される送風ファンと、前記送風ファンを回転させる駆動モーターと、前記ケースの内部に設置され、前記駆動モーターが前記ケース内部に一定高さに設置されるようにする取付ブラケットと、を備え、前記取付ブラケットは、その面が前記送風ファンの軸線と平行に形成されるアーチ形状の板で構成されることを特徴とする。
【発明の効果】
【００１７】
本発明の空気調和機によれば、取付ブラケットの面が軸流ファンからなる送風ファンの軸線と平行に形成され、送風ファンによって流動する空気が取付ブラケットの面に沿って流動するため、取付ブラケットの強度を維持しながらもケースの内部を通過する空気への流路抵抗を最小限に抑えることが可能になる。
【発明を実施するための最良の形態】
【００１８】
以下、本発明に係る空気調和機の好適な実施例を、添付図面を参照しつつ詳細に説明する。
【００１９】
本発明による空気調和機は、図１に示すように、外観を形成するケース１０と、ケース１０内に流入した室外空気と熱交換する室外熱交換器１１と、室外空気がケース１０内に循環されつつ室外熱交換器１１と熱交換されるようにする送風ファン１２と、回転力を発生させて送風ファン１２を回転させる駆動モーター１３などで構成される。
【００２０】
ケース１０は、後面１０ａと一側面１０ｂに室外の空気が吸入される吸入口１０ｃが形成され、前面１０ｄに、内部で室外熱交換器１１と熱交換する空気が再び室外空間に吐出される吐出口１０ｅが形成される。室外熱交換器１１は、ケース１０に形成された吸入口１０ｃと対応するように“┐”形状に折り曲げられて吸入口１０ｃの内側に配置される。ケース１０の内部空間は、区画板１０ｆによって区画され、その一側には室外熱交換器１１及び送風ファン１２が配設され、他側には冷媒を高温高圧に圧縮する圧縮器１５などの電装品が配設される。
【００２１】
送風ファン１２は、空気が軸方向に流動するように軸流ファンからなり、中央に駆動モーター１３の回転軸が連結され、駆動モーター１３から回転力が伝達されるような構成となっている。
【００２２】
このような送風ファン１２及び駆動モーター１３がケース１０の内部に一定の高さに取り付けられるよう、ケース１０の内部には駆動モーター１３が固定される取付ブラケット１４が設置されている。この取付ブラケット１４は、軸流ファンからなる送風ファン１２によって送風ファン１２の軸方向に流動する空気への流路抵抗を最小限に抑えるべく、図２に示すように、その面が送風ファン１２の軸線と実質的に平行なアーチ形状の板で構成されている。本実施例において、取付ブラケット１４は、その上部が弧状に形成されたアーチ形状の板で構成されている。
【００２３】
このように取付ブラケット１４をその面が送風ファン１２の軸線と平行に形成されたアーチ形状の板で構成すると、送風ファン１２によって送風ファン１２の軸方向に流動する空気は取付ブラケット１４の面に沿って移動するようになるため、送風ファン１２によって流動する空気への流路抵抗は最小限に抑えられる。
【００２４】
このような取付ブラケット１４は、弧状断面を持つように形成された上側端部に駆動モーター１３が設置され、下端がケース１０の底面１０ｇに固定されるようになっている。取付ブラケット１４の上側端部の両側には、駆動モーター１３の設置のためのモーター取付部１４ａが内側に延設され、スクリューなどのような締付部材にて駆動モーター１３の両側端部がモーター取付部１４ａに固着されることができる。また、取付ブラケット１４の下端には、ケース１０の底面１０ｇと平行に両側方に延在されてケース１０の底面１０ｇに取り付けられるケース取付部１４ｂが設けられる。ここで、ケース取付部１４ｂには、図３に示すように、ケース取付部１４ｂがケース１０の底面１０ｇに係合されるように下側に延突してから側方に折り曲げられた係止部１４ｃが形成されており、ケース１０の底面１０ｇには係止部１４ｃが挿入されて結合する係合穴１０ｈが形成されている。
【００２５】
したがって、取付ブラケット１４を付勢して弾性変形させることによって取付ブラケット１４の両端間の間隔を一時的に狭めた状態で、係止部１４ｃを係合穴１０ｈに挿入させたのち取付ブラケット１４への加勢力を解除すると、取付ブラケット１４が弾性復元しつつ取付ブラケット１４の両端間の間隔が元の状態に戻り、これによって係止部１４ｃが係合穴１０ｈの外周部に係止され、これで取付ブラケット１４の設置が簡単に完了する。
【００２６】
再び図２を参照すると、取付ブラケット１４には空気が通流できるように貫通穴１４ｄが設けられ、また、貫通穴１４ｄの外周部には取付ブラケット１４の強度補強のための補強リブ１４ｅが一体に延設され、よって、駆動モーター１３より伝達される振動に耐えることができる。本実施例では、取付ブラケット１４の両側にそれぞれ一対の貫通穴１４ｄが上下に並列されている。
【００２７】
本実施例では、取付ブラケット１４を、その面が送風ファン１２の軸線と平行に形成されたアーチ形状の板で構成したが、これに限定することはなく、その面が送風ファン１２の軸線と平行に形成された様々な形態の板が使用可能である。
【図面の簡単な説明】
【００２８】
【図１】本発明による空気調和機の構成を示す分解斜視図である。
【図２】本発明による空気調和機に適用された取付ブラケットの構成を示す分解斜視図である。
【図３】図２のIII部の拡大図である。
【符号の説明】
【００２９】
１０    ケース
１０ｈ    係合穴
１１    室外熱交換器
１２    送風ファン
１３    駆動モーター
１４    取付ブラケット
１４ａ    モーター取付部
１４ｂ    ケース取付部
１４ｃ    係止部
１４ｄ    貫通穴
１４ｅ    補強リブ
１５    圧縮器
【図１】
2008196841.tif 000003
【図２】
2008196841.tif 000004
【図３】
2008196841.tif 000005